(57)【要約】【課題】本発明はガスコンロの天板の固定方法に関するものであり、天板側に部品を追加せずに、天板全体のたわみを防止し支持する構成の提案。【解決手段】組み込み式ガスコンロにおいて、機器本体１内のグリル燃焼用ケース後部に設けたグリル排気筒７により天板９の後部を支持し、機器本体１内に設けたバーナ取り付け板３上に設けた板金をコの字状に曲げ成形した機器運搬用の取っ手４により天板９前部を支持し、天板９全体を支持する構成とした。【選択図】  図１
2005024171.tif 000002
【特許請求の範囲】
【請求項１】
コンロバーナおよびグリルを有する機器本体と、前記機器本体上面に載置される天板を有し、さらに前記機器本体内のグリル燃焼用ケース後部に設けたグリル排気筒と、前記機器本体内に設けたバーナ取り付け板上に機器運搬用の取っ手を有し、前記グリル排気筒により前記天板の後部を支持し、前記取っ手により天板を支持する構成としたガス調理器。
【請求項２】
グリル排気筒に支持金具を備え、前記支持金具により天板を支持する構成とした請求項１記載のガス調理器。
【請求項３】
機器運搬用の取っ手の少なくとも上面に緩衝材を装着して天板を支持する構成とした請求項１および２記載のガス調理器。
【請求項４】
排気筒および取っ手により支持される天板の裏側に緩衝材を塗布接着した請求項１および２記載のガス調理器。
【発明の詳細な説明】
【０００１】
【発明の属する技術分野】
本発明は、ガス調理器の天板の支持方法に関するものである。
【０００２】
【従来の技術】
従来の組込み式ガスコンロの天板の固定構造を図３に示しており、図３に示すように天板裏側に位置決め固定用の支持金具がスポットされており、機器本体側に設けられた支持レバーを回動することにより、支持金具と嵌合させ天板を支持する構成となっている（例えば、特開文献１参照）。
【０００３】
図３は、前記公報に記載された従来の天板固定構造である。図３において、１１は天板、１２は支持レバー、１３は支持金具である。
【０００４】
また、卓上型ガスコンロの場合には、中央に大きく複雑な形状の遮熱板を装着し、天板を支持する構成となっている。
【０００５】
【特許文献１】
特開平８−１２８６５５号公報
【０００６】
【発明が解決しようとする課題】
しかしながら、従来の固定方法では、天板の裏側に位置決め固定用の金具をスポットするため、固定専用の部品が必要であり、また天板に固定金具のスポット跡が残るという課題を有していた。また、天板を１箇所で支持するので、天板後部の排気用開口部の強度が弱くたわみやすい課題を有していた。
【０００７】
本発明は上記課題を解決するもので、天板に部品をスポットなどして部品を追加することや大きく複雑な形状の遮熱板等の部品を追加することなく、機器本体側に設けられた取っ手やグリル排気筒を利用して、天板全体をでき、ガラス天板においても全体のたわみを押さえ天板の割れを防止し、また天板に加わった衝撃も吸収できる天板支持構成のガス調理器を提案することを目的とする。
【０００８】
【課題を解決するための手段】
本発明は上記目的を達成するために、コンロバーナおよびグリルを有する機器本体と、前記機器本体上面に載置される天板を有し、機器本体内のグリル燃焼用ケース後部に設けたグリル排気筒により天板の後部を支持し、機器本体内のバーナ取り付け板上に機器運搬用の取っ手を設け、これにより天板前部を支持し、天板全体を支持する構成とした。
【０００９】
この構成によって、遮熱板等の大きな部品を追加することなく、機器本体上面に載置された天板全体をバランスよく支持することが、天板の荷重による変形を防止することができ、またガラスを用いた天板等においても天板のたわみを防止し、天板が割れるのを防止することができる。また、天板支持部に発泡体やゴム等の緩衝材を用いることにより、天板に加わった衝撃も吸収することができる。
【００１０】
【発明の実施の形態】
請求項１記載の発明は、コンロバーナおよびグリルを有する機器本体と、前記機器本体上面に載置される天板を有し、さらに前記機器本体内のグリル燃焼用ケース後部に設けたグリル排気筒と、前記機器本体内のバーナ取り付け板上に板金をコの字状に曲げ成形した機器運搬用の取っ手を有し、前記グリル排気筒により前記天板の後部を支持し、前記取っ手により天板前部を支持し天板全体を支持する構成とした。
【００１１】
そして、遮熱板等の大きな部品や天板にスポット部品を追加することなく、機器本体上面に載置された天板全体をバランスよく支持することが、天板の荷重による変形を防止することができ、またガラスを用いた天板等おいても天板のたわみを防止し、天板が割れるのを防止することができる。
【００１２】
請求項２記載の発明は、機器本体内のグリル燃焼用ケース後部に設けたグリル排気筒に支持金具をスポット、もしくはビスにより共締めし、前記支持金具により天板を支持する構成とした。
【００１３】
そして、グリル排気筒の形状にかかわらず部品を１つ追加することにより天板後部を確実に支持することができる。
【００１４】
請求項３記載の発明は、機器運搬用の取っ手上面にゴムまたは発泡体等の緩衝材を装着し、天板に加わったの衝撃を吸収しながら支持する構成とした。
【００１５】
そして、取っ手の上面に装着したゴム等の緩衝材により天板に加わった衝撃を吸収することができ、特にガラス天板等において衝撃を吸収しガラスが割れるのを防止できる。さらに、機器運搬時に手にかかる圧を低減して持ちやすさを向上させる構成にした。
【００１６】
請求項４記載の発明は、排気筒および取っ手により支持される天板の裏側に発砲体等の緩衝材を塗布接着させ、天板を支持し、かつ天板の衝撃も吸収できる構成とした。
【００１７】
そして、天板の裏側に発泡体等の緩衝材を塗布接着する加工は、天板周囲とキッチンカウンターとの隙間を埋めるために天板周囲に塗布接着する発泡体加工時に、同時に支持部緩衝用の発泡体も加工できるので部品を増やすことなく、自由な位置に塗布接着できる。
【００１８】
【実施例】
次に、本発明のガスコンロ天板の実施例を図面にもとづいて説明する。
【００１９】
（実施例）
図１は、本発明の実施例のガスコンロの上面図で、図２はその縦断面図である。図１において、機器本体１は３個のコンロバーナ２を有し、コンロバーナ２は機器本体１の上部に設けられたバーナ取り付け板３上に固定されている。さらに、板金をコの字状に曲げて成形した機器運搬用の取っ手４は、上面および側面を覆うようにゴムの緩衝材５が装着されており、機器中央付近の前記バーナ取り付け板３上にビス締め固定されている。グリル燃焼用ケース６は、前記バーナ取り付け板３の下部に据え付け固定され、その後部にはグリル排気筒７を有する。前記機器本体１は、システムキッチンのカウンター８の切り込み枠内にはめ込まれ固定され、機器本体１上部に天板９が設置される。天板９は、板金の枠上にガラスが載置され周囲を接着したガラス天板で、天板９上には３個のコンロバーナ２用開口部を有し、さらに後部にはグリルの排気排出用の開口部１０を有する。天板９は、後部をグリル排気筒７の一部で支持され、前部を取っ手４の上面により、支持されている。
【００２０】
次に作用、効果について説明すると、天板９は、グリル排気筒７により天板９の後部を支持し、機器本体１内のバーナ取り付け板３上に設けた板金をコの字状に曲げ成形した機器運搬用の取っ手４により天板９前部を支持し、天板９全体を支持する構成としたガスコンロで、遮熱板等の大きな部品を追加することなくまた天板にスポット部品を追加することなく、機器本体１上面に載置された天板９全体をバランスよく支持することができ、天板９の荷重による変形を防止することができ、またガラス天板においても天板９のたわみを防止し、天板９が割れるのを防止することができる。また、取っ手４の上面に装着したゴム等の緩衝材５により、天板９に加わった衝撃を吸収することができ、特にガラス天板等において衝撃を吸収しガラスが割れるのを防止できる。さらに、取っ手４の上面および側面もゴム等の発泡体で覆うことにより、機器運搬時に手にかかる圧を低減でき、持ちやすくより安定して機器が運搬できる。
【００２１】
なお、グリル排気筒７の形状が複雑になる場合は、グリル排気筒７に小さな部品を１つスポットまたは共締めすることにより天板９後部を確実に支持することができる。また、天板９の裏側に発泡体等の緩衝材５を塗布接着することで衝撃を緩和することも可能で、その場合、天板９周囲とキッチンカウンター８との隙間を埋めるために天板９周囲に塗布接着する発泡体加工時に、同時に支持部緩衝用の発泡体も加工できるので部品を増やすことなく、自由な位置に塗布接着できる。
【００２２】
なお、卓上型のガスコンロでも同様の構成が可能であることはいうまでもない。
【００２３】
【発明の効果】
本発明によれば、グリル排気筒により天板の後部を支持し、機器本体内のバーナ取り付け板上に設けた板金をコの字状に曲げ成形した機器運搬用の取っ手により天板前部を支持し、天板全体を支持する構成としたガスコンロで、遮熱板等の大きな部品や天板にスポット部品を追加することなく、機器本体上面に載置された天板全体をバランスよく支持することができ、天板の荷重による変形を防止することができ、またガラスを用いた天板等おいても天板のたわみを防止し、天板が割れるのを防止することができるという有利な効果を有する。
【図面の簡単な説明】
【図１】本発明の実施例のガスコンロの上面図
【図２】本発明の実施例のガスコンロの断面図
【図３】従来のガスコンロ天板の上面図
【符号の説明】
１  機器本体
２  コンロバーナ
３  バーナ取り付け板
４  取っ手
５  緩衝材
６  グリル燃焼用ケース
７  グリル排気筒
９  天板
【図１】
2005024171.tif 000003
【図２】
2005024171.tif 000004
【図３】
2005024171.tif 000005